(57)【要約】【課題】表示中のページの端部に配置されたアイコンに対する操作性を向上させる。【解決手段】表示入力装置の制御部は、アイコンを操作している接触体のタッチスクリーンに対する接触位置が対象領域に入っている状態でページ遷移条件が満たされると、別ページを表示して操作されているアイコンを別ページに移動する処理をタッチスクリーンに行わせ、制御部は、複数のアイコンのうち、対象領域に入っていないアイコンを第１グループに分類するとともに、対象領域に少なくとも一部が入っているアイコンを第２グループに分類し、第１グループのアイコンが操作されている場合と第２グループのアイコンが操作されている場合とでページ遷移条件を変える。【選択図】図４
2020095605.tif 000002
【特許請求の範囲】
【請求項１】
複数のアイコンが配置されたページを表示し、いずれかの前記アイコンの表示領域に接触体を接触させる操作を受け付けるタッチスクリーンと、
前記タッチスクリーンを制御する制御部と、を備え、
前記制御部は、前記ページのいずれかの辺から所定幅の領域を対象領域に設定し、前記アイコンを操作している前記接触体の前記タッチスクリーンに対する接触位置が前記対象領域に入っている状態または前記接触体が操作している前記アイコンの少なくとも一部が前記対象領域に入っている状態で予め定められたページ遷移条件が満たされると、別ページを表示して操作されている前記アイコンを前記別ページに移動する処理を前記タッチスクリーンに行わせ、
前記制御部は、複数の前記アイコンのうち、前記対象領域に入っていない前記アイコンを第１グループに分類するとともに、前記対象領域に少なくとも一部が入っている前記アイコンを第２グループに分類し、前記第１グループの前記アイコンが操作されている場合と前記第２グループの前記アイコンが操作されている場合とで前記ページ遷移条件を変えることを特徴とする表示入力装置。
【請求項２】
前記第１グループの前記アイコンが操作されている場合、前記制御部は、前記第１グループの前記アイコンを操作している前記接触体の前記タッチスクリーンに対する接触位置が前記対象領域に入っている状態または前記接触体が操作している前記第１グループの前記アイコンの少なくとも一部が前記対象領域に入っている状態で予め定められた第１時間が経過したとき、前記ページ遷移条件が満たされたと判断し、
前記第２グループの前記アイコンが操作されている場合、前記制御部は、前記第２グループの前記アイコンを操作している前記接触体の前記タッチスクリーンに対する接触位置が前記対象領域に入っている状態または前記接触体が操作している前記第２グループの前記アイコンの少なくとも一部が前記対象領域に入っている状態で前記第１時間よりも長い予め定められた第２時間が経過したとき、前記ページ遷移条件が満たされたと判断することを特徴とする請求項１に記載の表示入力装置。
【請求項３】
前記制御部は、前記第２グループの前記アイコンを前記対象領域の領域外に移動させてから前記対象領域に移動させる操作が行われた場合、前記第２グループの前記アイコンを操作している前記接触体の前記タッチスクリーンに対する接触位置が前記対象領域に入っている状態または前記接触体が操作している前記第２グループの前記アイコンの少なくとも一部が前記対象領域に入っている状態で前記第１時間が経過したとき、前記ページ遷移条件が満たされたと判断することを特徴とする請求項２に記載の表示入力装置。
【請求項４】
前記別ページの前記ページに対する位置を示す位置関係情報を記憶する記憶部を備え、
前記制御部は、前記ページの４辺のうち前記位置関係情報で示される位置に対応する辺から前記所定幅の領域を前記対象領域に設定することを特徴とする請求項１〜３のいずれか１項に記載の表示入力装置。
【発明の詳細な説明】
【技術分野】
【０００１】
本発明は、タッチスクリーンを備える表示入力装置に関する。
【背景技術】
【０００２】
従来、タッチスクリーンを備える表示入力装置が知られている。このような表示入力装置は、特許文献１に開示されている。特許文献１の表示入力装置は、画像形成装置の操作パネルである。
【０００３】
特許文献１の表示入力装置は、アイコンが配置されたページをタッチスクリーンに表示する。そして、アイコンに対してタップ操作が行われると、操作されたアイコンに対応付けられた処理を実行する。
【先行技術文献】
【特許文献】
【０００４】
【特許文献１】特開２０１６−１１５３３７号公報
【発明の概要】
【発明が解決しようとする課題】
【０００５】
特許文献１では、アイコンが配置されたページの表示中、タッチスクリーンに対して所定のタッチ操作を行うことにより、表示中のページに配置されたアイコンを別ページに移動させることができる（アイコンを別ページに配置することができる）。具体的には、アイコンに対してドラッグ操作を行い、操作しているアイコンをページの端部まで移動させると、タッチスクリーンに別ページが表示される（ページが遷移する）。別ページの表示後、アイコンに対するドラッグ操作を解除すると、操作していたアイコンが別ページに配置された状態となる。
【０００６】
ここで、ページ内でのアイコンの配置位置は様々である。たとえば、ページの端部にアイコンが配置される。このようなページの表示中、ユーザーがページの端部に配置されたアイコンを操作したとき、ユーザーの意図に反してページが遷移してしまう場合がある。この場合、ページを戻す操作を行わなければならない。したがって、ユーザーにとっては操作性が悪い。
【０００７】
本発明は、上記課題を解決するためになされたものであり、表示中のページの端部に配置されたアイコンに対する操作性を向上させることが可能な表示入力装置を提供することを目的とする。
【課題を解決するための手段】
【０００８】
上記目的を達成するために、本発明の表示入力装置は、複数のアイコンが配置されたページを表示し、いずれかのアイコンの表示領域に接触体を接触させる操作を受け付けるタッチスクリーンと、タッチスクリーンを制御する制御部と、を備える。制御部は、ページのいずれかの辺から所定幅の領域を対象領域に設定し、アイコンを操作している接触体のタッチスクリーンに対する接触位置が対象領域に入っている状態または接触体が操作しているアイコンの少なくとも一部が対象領域に入っている状態で予め定められたページ遷移条件が満たされると、別ページを表示して操作されているアイコンを別ページに移動する処理をタッチスクリーンに行わせる。制御部は、複数のアイコンのうち、対象領域に入っていないアイコンを第１グループに分類するとともに、対象領域に少なくとも一部が入っているアイコンを第２グループに分類し、第１グループのアイコンが操作されている場合と第２グループのアイコンが操作されている場合とでページ遷移条件を変える。
【発明の効果】
【０００９】
本発明の構成では、表示中のページの端部に配置されたアイコンに対する操作性を向上させることができる。
【図面の簡単な説明】
【００１０】
【図１】本発明の一実施形態による表示入力装置の構成を示す図
【図２】本発明の一実施形態による表示入力装置に表示されるホーム画面を示す図
【図３】本発明の一実施形態による表示入力装置が行う分類処理の流れを示すフローチャート
【図４】本発明の一実施形態による表示入力装置が行う分類処理について説明するための図
【図５】本発明の一実施形態による表示入力装置が行う条件判断所処理（第１処理）の流れを示すフローチャート
【図６】本発明の一実施形態による表示入力装置が行う条件判断所処理（第１処理）について説明するための図
【図７】本発明の一実施形態による表示入力装置が行う条件判断所処理（第２処理）の流れを示すフローチャート
【図８】本発明の一実施形態による表示入力装置が行う条件判断所処理（第２処理）について説明するための図
【図９】本発明の一実施形態による表示入力装置が表示しているアイコンの移動軌跡を示す図
【発明を実施するための形態】
【００１１】
以下に、本発明の一実施形態による表示入力装置について説明する。たとえば、スマートフォンおよびタブレットコンピューターなどの携帯端末に本発明が適用される。また、画像形成装置の操作パネルに本発明を適用することもできる。
【００１２】
＜表示入力装置の構成＞
図１に示すように、本実施形態の表示入力装置１００は、制御部１を備える。制御部１は、ＣＰＵのような処理回路を含む。制御部１は、制御用プログラムおよび制御用データに基づき、表示入力装置１００の各部を制御する。
【００１３】
また、表示入力装置１００は、記憶部２を備える。記憶部２は、不揮発性メモリー（ＲＯＭ）および揮発性メモリー（ＲＡＭ）を含む。記憶部２は、制御部１に接続される。制御用プログラムおよび制御用データは記憶部２に記憶される。
【００１４】
なお、表示入力装置１００には、アプリケーションＡＰ（以下、アプリＡＰと称する）がインストールされる。表示入力装置１００にインストールされたアプリＡＰは記憶部２に記憶される。
【００１５】
また、表示入力装置１００は、タッチスクリーン３を備える。タッチスクリーン３は、液晶表示パネルおよびタッチパネルを含む。タッチスクリーン３は、画面を表示し、表示画面に対する操作をユーザーから受け付ける。ユーザーの指およびタッチペンなどの接触体をタッチスクリーン３に接触させるタッチ操作が表示画面に対する操作として受け付けられる。タッチ操作には、タップ操作（タッチパネル３を接触体で叩くような操作）やフリック操作（タッチパネル３を接触体で払うような操作）がある。
【００１６】
タッチスクリーン３は、制御部１に接続される。制御部１は、タッチスクリーン３の表示動作を制御する。また、制御部１は、タッチスクリーン３の表示画面に対するタッチ操作を検知する。
【００１７】
ここで、制御部１は、アプリＡＰを起動するためのアイコンＣ（図２参照）をタッチスクリーン３に表示させる。制御部１は、たとえば、アイコンＣの表示領域に対するタップ操作を検知すると、アプリＡＰを起動する起動操作を受け付けたと判断し、タップ操作を受けたアイコンＣに対応するアプリＡＰを起動する。
【００１８】
また、表示入力装置１００は、通信部４を備える。通信部４は、表示入力装置１００をインターネットなどのネットワークに接続するための通信インターフェースであり、通信用回路および通信用メモリーなどを含む。通信部４は、制御部１に接続される。制御部１は、通信部４を用いて、ネットワークに接続された外部機器と通信する。
【００１９】
＜アイコンが配置されたページ＞
制御部１は、表示入力装置１００が起動すると、図２に示すようなホーム画面１０をタッチスクリーン３に表示させる。ホーム画面１０は、アプリＡＰに対応するアイコンＣが配置されたページＰの画面である。すなわち、ホーム画面１０は、アプリＡＰの起動操作をユーザーから受け付けるための画面である。
【００２０】
複数のアプリＡＰがインストールされている場合には、複数のアプリＡＰにそれぞれ対応する複数のアイコンＣが表示される。なお、予め上限数が定められており、上限数を超えるアイコンＣを単一のページＰに配置することはできない。以下の説明では、上限数が１６個（上下方向および左右方向の各上限数が４個）であるとする。図２では、１６個のアイコンＣが配置されたページＰを図示する。
【００２１】
ここで、ホーム画面１０のページＰは追加可能である。すなわち、ホーム画面１０のページＰが複数存在する状態になり得る。なお、ホーム画面１０のページＰの追加はユーザーが任意に行うことができる。
【００２２】
制御部１は、アプリＡＰの起動操作を受け付けるとき、ホーム画面１０のページＰが複数存在しても、或るページＰだけをタッチスクリーン３に表示させ、他のページＰはタッチスクリーン３に表示させない。制御部１は、ホーム画面１０の表示中、ページ切替操作を受け付けたと判断したとき、ホーム画面１０のページＰの切り替えをタッチスクリーン３に行わせる。たとえば、制御部１は、ホーム画面１０に対するフリック操作を検知すると、ページ切替操作を受け付けたと判断する。
【００２３】
＜別ページへのアイコンの移動＞
制御部１は、ホーム画面１０の表示中、予め定められたページ遷移条件が満たされたか否か（表示中のいずれかのアイコンＣに対してページ遷移条件を満たす操作が行われているか否か）を判断する条件判断処理を行う。言い換えると、表示中のいずれかのアイコンＣが操作されているとき、制御部１による条件判断処理が行われる。ページ遷移条件が満たされたと判断したとき、制御部１は、タッチスクリーン３にアイコン移動処理を行わせる。タッチスクリーン３は、アイコン移動処理として、表示中のページＰに代えて別ページＰを表示し、操作されているアイコンＰを別ページＰに移動（配置）する処理を行う。
【００２４】
ここで、制御部１は、条件判断処理に先立って、表示中のページＰに配置された複数のアイコンＣのページＰ内での各配置位置に基づき、複数のアイコンＣを第１グループと第２グループとに分類する分類処理を行う。そして、制御部１は、第１グループのアイコンＣが操作されている場合と第２グループのアイコンＣが操作されている場合とでページ遷移条件を変える。以下に具体的に説明する。
【００２５】
まず、図３に示すフローチャートを参照し、制御部１が行う分類処理の流れについて説明する。図３に示すフローチャートは、ホーム画面１０の複数のページＰのいずれかがタッチスクリーン３に表示されたときにスタートする。
【００２６】
ステップＳ１において、制御部１は、表示中のページＰ（以下、符号Ｐ１を付す）から遷移可能な別ページＰ（以下、符号Ｐ２を付す）のページＰ１に対する位置を示す位置関係情報を抽出し、当該抽出した位置関係情報で示される位置を認識する。位置関係情報は記憶部２に記憶される。
【００２７】
たとえば、表示中のページＰ１の前に別ページＰ２が追加されている場合には、ページＰ１に対応する位置関係情報には別ページＰ２の位置が左である旨の情報が含められる。表示中のページＰ１の後に別ページＰ２が追加されている場合には、ページＰ１に対応する位置関係情報には別ページＰ２の位置が右である旨の情報が含められる。
【００２８】
表示中のページＰ１の前後に別ページＰ２が追加されている場合には、ページＰ１に対応する位置関係情報には、別ページＰ２の位置が左である旨の情報および別ページＰ２の位置が右である旨の情報が含められる。なお、表示中のページＰ１の上に別ページＰ２が追加されている場合もあるし、表示中のページＰ１の下に別ページＰ２が追加されている場合もある。
【００２９】
ステップＳ２において、制御部１は、表示中のページＰ１の４辺（上辺、下辺、左辺および右辺）のうち位置関係情報で示される位置に対応する辺を対象辺として認識する。そして、制御部１は、対象辺から所定幅Ｗの領域を対象領域ＴＡ（図４参照）に設定する。なお、所定幅Ｗは予め定められる。所定幅Ｗを示す情報は記憶部２に記憶される。たとえば、所定幅Ｗは数ｍｍ〜十数ｍｍに設定される。所定幅Ｗはユーザーが任意に変更することができる。
【００３０】
たとえば、表示中のページＰ１の前後に別ページＰ２が追加されているとする。この場合には、図４に示すように、ページＰ１の左辺から所定幅Ｗの領域（一点鎖線で囲まれた領域）およびページＰ１の右辺から所定幅Ｗの領域（一点鎖線で囲まれた領域）がそれぞれ対象領域ＴＡに設定される。なお、図４では、便宜上、１６個のアイコンＣにそれぞれ符号Ｃ１〜Ｃ１６を付す（以下の説明で参照する図面についても同様である）。
【００３１】
図３に戻り、ステップＳ３において、制御部１は、表示中のページＰ１に配置された複数のアイコンＣをグループ分けする。制御部１は、複数のアイコンＣのうち対象領域ＴＡに入っていないアイコンＣを第１グループに分類する。また、制御部１は、複数のアイコンＣのうち対象領域ＴＡに少なくとも一部が入っているアイコンＣを第２グループに分類する。
【００３２】
図４に示す例では、アイコンＣ２、Ｃ３、Ｃ６、Ｃ７、Ｃ１０、Ｃ１１、Ｃ１４およびＣ１５が第１グループに分類される。また、アイコンＣ１、Ｃ４、Ｃ５、Ｃ８、Ｃ９、Ｃ１２、Ｃ１３およびＣ１６が第２グループに分類される。
【００３３】
次に、制御部１が行う条件判断処理について説明する。
【００３４】
制御部１は、表示中のいずれかのアイコンＣが操作されているときに条件判断処理を行う。ただし、表示中のアイコンＣに対する操作がタップ操作やフリック操作である場合には、制御部１は条件判断処理を行わない。言い換えると、表示中のアイコンＣに対する操作がドラッグ操作や長押し操作である場合に、制御部１は条件判断処理を行う。ドラッグ操作は、アイコンＣの表示領域に接触体を接触させた後、タッチスクリーン３から接触体を離すことなく接触体を移動させる操作である。長押し操作は、アイコンＣの表示領域に接触体を接触させた後、所定時間が経過するまでタッチスクリーン３に接触体を接触させ続ける操作である。
【００３５】
ここで、条件判断処理には、第１処理と第２処理とがある。制御部１は、操作されているアイコンＣが第１グループである場合には第１処理を行う。一方で、制御部１は、操作されているアイコンＣが第２グループである場合には第２処理を行う。
【００３６】
第１処理を行う場合、制御部１は、第１グループのアイコンＣを操作している接触体のタッチスクリーン３に対する接触位置に基づき、ページ遷移条件が満たされたか否かを判断する。なお、接触体が操作している第１グループのアイコンＣの位置（ドラッグ操作による移動後の位置）に基づきページ遷移条件が満たされたか否かを制御部１が判断してもよい。
【００３７】
以下に、図５に示すフローチャートを参照し、第１処理について具体的に説明する。図５に示すフローチャートは、条件判断処理の開始条件が満たされたと制御部１が判断したときにスタートする。制御部１は、第１グループのアイコンＣを操作している接触体のタッチスクリーン３に対する接触位置が対象領域ＴＡに入ったとき、条件判断処理の開始条件が満たされたと判断する。
【００３８】
ここで、図６上図に示すように、第１グループのアイコンＣ（アイコンＣ２、Ｃ３、Ｃ６、Ｃ7、Ｃ１０、Ｃ１１、Ｃ１４およびＣ１５）は、対象領域ＴＡに入っていない。このため、第１グループのアイコンＣに対してドラッグ操作が行われ、第１グループのアイコンＣを操作している接触体のタッチスクリーン３に対する接触位置が対象領域ＴＡに入ると、条件判断処理の開始条件が満たされたと制御部１が判断する。図６では、アイコンＣ３に対してドラッグ操作が行われている状態を図示する。また、図６では、接触体を指マークで示し、アイコンＣ３の移動軌跡を白抜き矢印で示す。
【００３９】
ステップＳ１１において、制御部１は、第１グループのアイコンＣを操作している接触体のタッチスクリーン３に対する接触位置が対象領域ＴＡに入った状態で予め定められた第１時間が経過したか否かを判断する。接触体が操作している第１グループのアイコンＣの位置に基づきページ遷移条件が満たされたか否かを制御部１が判断する構成では、制御部１は、操作されている第１グループのアイコンＣの少なくとも一部が対象領域ＴＡに入った状態で第１時間が経過したか否かを判断する。
【００４０】
ステップＳ１１において、第１時間が経過していないと制御部１が判断した場合には、ステップＳ１２に移行する。ステップＳ１２に移行すると、制御部１は、キャンセル条件が満たされたか否かを判断する。その結果、キャンセル条件が満たされたと制御部１が判断した場合には、本フローは終了する。一方で、キャンセル条件が満たされていないと制御部１が判断した場合には、ステップＳ１１に移行する。
【００４１】
制御部１は、第１時間が経過する前に接触体がタッチスクリーン３から離されたとき、キャンセル条件が満たされたと判断する。
【００４２】
また、制御部１は、第１時間が経過する前に、接触体のタッチスクリーン３に対する接触位置が対象領域ＴＡから外れたとき、キャンセル条件が満たされたと判断する。接触体が操作している第１グループのアイコンＣの位置に基づきページ遷移条件が満たされたか否かを制御部１が判断する構成では、制御部１は、第１時間が経過する前に、操作されている第１グループのアイコンＣが対象領域ＴＡから外れたとき、キャンセル条件が満たされたと判断する。
【００４３】
ステップＳ１１において、第１時間が経過したと制御部１が判断した場合には、ステップＳ１３に移行する。ステップＳ１３に移行すると、制御部１は、ページ遷移条件が満たされたと判断する。その後、ステップＳ１４において、制御部１は、タッチスクリーン３にアイコン移動処理を行わせる。
【００４４】
たとえば、図６上図に示した状態（ページＰ１が表示されている状態）で、ページ遷移条件が満たされたとする。この場合には、ページＰ１から別ページＰ２への表示遷移が行われる。そして、図６下図に示すように、アイコンＣ３が別ページＰ２に移動する。ページＰ１から別ページＰ２への遷移後、タッチスクリーン３から接触体を離すことにより、別ページＰ２にアイコンＣ３が配置された状態にすることができる。
【００４５】
第２処理を行う場合、制御部１は、第２グループのアイコンＣを操作している接触体のタッチスクリーン３に対する接触位置に基づき、ページ遷移条件が満たされたか否かを判断する。なお、接触体が操作している第２グループのアイコンＣの位置に基づきページ遷移条件が満たされたか否かを制御部１が判断してもよい。
【００４６】
以下に、図７に示すフローチャートを参照し、第２処理について具体的に説明する。図７に示すフローチャートは、条件判断処理の開始条件が満たされたと制御部１が判断したときにスタートする。制御部１は、第２グループのアイコンＣを操作している接触体のタッチスクリーン３に対する接触位置が対象領域ＴＡに入ったとき、条件判断処理の開始条件が満たされたと判断する。
【００４７】
ここで、図８上図に示すように、第２グループのアイコンＣ（アイコンＣ１、Ｃ４、Ｃ５、Ｃ８、Ｃ９、Ｃ１２、Ｃ１３およびＣ１６）は、それぞれ、対象領域ＴＡに入っている第１部分と対象領域ＴＡに入っていない第２部分とを有する。このため、第２グループのアイコンＣの第１部分に対して長押し操作が行われると、条件判断処理の開始条件が満たされたと制御部１が判断する。また、第２グループのアイコンＣの第２部分への接触体の接触後、ドラッグ操作が行われることによって接触体のタッチスクリーン３に対する接触位置が対象領域ＴＡに入ると、条件判断処理の開始条件が満たされたと制御部１が判断する。図８では、アイコンＣ４に対してドラッグ操作が行われている状態を図示する。また、図８では、接触体を指マークで示し、アイコンＣ４の移動軌跡を白抜き矢印で示す。
【００４８】
ステップＳ２１において、制御部１は、第２グループのアイコンＣを操作している接触体のタッチスクリーン３に対する接触位置が対象領域ＴＡに入った状態で第１時間よりも長い予め定められた第２時間が経過したか否かを判断する。接触体が操作している第２グループのアイコンＣの位置に基づきページ遷移条件が満たされたか否かを制御部１が判断する構成では、制御部１は、操作されている第２グループのアイコンＣの少なくとも一部が対象領域ＴＡに入った状態で第２時間が経過したか否かを判断する。
【００４９】
ステップＳ２１において、第２時間が経過していないと制御部１が判断した場合には、ステップＳ２２に移行する。ステップＳ２２に移行すると、制御部１は、キャンセル条件が満たされたか否かを判断する。その結果、キャンセル条件が満たされたと制御部１が判断した場合には、本フローは終了する。一方で、キャンセル条件が満たされていないと制御部１が判断した場合には、ステップＳ２１に移行する。
【００５０】
制御部１は、第２時間が経過する前に接触体がタッチスクリーン３から離されたとき、キャンセル条件が満たされたと判断する。
【００５１】
また、制御部１は、第２時間が経過する前に、接触体のタッチスクリーン３に対する接触位置が対象領域ＴＡから外れたとき、キャンセル条件が満たされたと判断する。接触体が操作している第２グループのアイコンＣの位置に基づきページ遷移条件が満たされたか否かを制御部１が判断する構成では、制御部１は、第２時間が経過する前に、操作されている第２グループのアイコンＣが対象領域ＴＡから外れたとき、キャンセル条件が満たされたと判断する。
【００５２】
ステップＳ２１において、第２時間が経過したと制御部１が判断した場合には、ステップＳ２３に移行する。ステップＳ２３に移行すると、制御部１は、ページ遷移条件が満たされたと判断する。その後、ステップＳ２４において、制御部１は、タッチスクリーン３にアイコン移動処理を行わせる。
【００５３】
たとえば、図８上図に示した状態（ページＰ１が表示されている状態）で、ページ遷移条件が満たされたとする。この場合には、ページＰ１から別ページＰ２への表示遷移が行われる。そして、図８下図に示すように、アイコンＣ４が別ページＰ２に移動する。ページＰ１から別ページＰ２への遷移後、タッチスクリーン３から接触体を離すことにより、別ページＰ２にアイコンＣ４が配置された状態にすることができる。
【００５４】
ここで、図９に示すように、第２グループのアイコンＣを対象領域ＴＡの領域外に移動させ（上図参照）、その後、対象領域ＴＡに移動させる（下図参照）、という操作が行われる場合がある。この場合にも、制御部１は、条件判断処理の開始条件が満たされたと判断する。ただし、この場合には、制御部１は、条件判断処理として、第２処理ではなく第１処理を行う。
【００５５】
すなわち、図９に示す操作が第２グループのアイコンＣに対して行われている場合、制御部１は、第２グループのアイコンＣを操作している接触体のタッチスクリーン３に対する接触位置が対象領域ＴＡに入った状態で第１時間が経過したとき、ページ遷移条件が満たされたと判断する。接触体が操作している第２グループのアイコンＣの位置に基づきページ遷移条件が満たされたか否かを制御部１が判断する構成では、制御部１は、操作されている第２グループのアイコンＣの少なくとも一部が対象領域ＴＡに入った状態で第１時間が経過したとき、ページ遷移条件が満たされたと判断する。
【００５６】
本実施形態の表示入力装置１００は、上記のように、複数のアイコンＣが配置されたページＰ（Ｐ１）を表示し、表示中のいずれかのアイコンＣの表示領域に接触体を接触させる操作を受け付けるタッチスクリーン３と、タッチスクリーン３を制御する制御部１と、を備える。制御部１は、表示中のページＰのいずれかの辺から所定幅Ｗの領域を対象領域ＴＡに設定し、アイコンＣを操作している接触体のタッチスクリーン３に対する接触位置が対象領域ＴＡに入っている状態または接触体が操作しているアイコンＣの少なくとも一部が対象領域ＴＡに入っている状態で予め定められたページ遷移条件が満たされると、タッチスクリーン３にアイコン移動処理を行わせる。タッチスクリーン３は、アイコン移動処理として、別ページＰ（Ｐ２）を表示し、操作されているアイコンＣを別ページＰに移動する処理を行う。
【００５７】
また、制御部１は、表示中の複数のアイコンＣのうち、対象領域ＴＡに入っていないアイコンＣを第１グループに分類し、対象領域ＴＡに少なくとも一部が入っているアイコンＣを第２グループに分類する。そして、制御部１は、第１グループのアイコンＣが操作されている場合と第２グループのアイコンＣが操作されている場合とでページ遷移条件を変える。
【００５８】
本実施形態の構成では、表示中のページＰに配置された複数のアイコンＣのうち、ページＰの中央部に配置されたアイコンＣが第１グループに分類され、ページＰの端部に配置されたアイコンＣが第２グループに分類される。これにより、ページＰの中央部に配置されたアイコンＣが操作されている場合とページＰの端部に配置されたアイコンＣが操作されている場合とでページ遷移条件を変えることができる。すなわち、ページＰの端部に配置されたアイコンＣが操作されているときにページＰが遷移され難くすることができる。これにより、ページＰの端部に配置されたアイコンＣに対する操作性を向上させることができる。たとえば、ページＰの端部に配置されたアイコンＣに対応するアプリＡＰの起動を意図していたにもかかわらずページＰが遷移する、といった不都合が発生するのを抑制することができる。
【００５９】
また、本実施形態では、上記のように、第１グループのアイコンＣが操作されている場合、制御部１は、第１グループのアイコンＣを操作している接触体のタッチスクリーン３に対する接触位置が対象領域ＴＡに入っている状態または接触体が操作している第１グループのアイコンの少なくとも一部が対象領域ＴＡに入っている状態で予め定められた第１時間（第２時間よりも短い時間）が経過したとき、ページ遷移条件が満たされたと判断する。この構成では、ページＰの中央部に配置されたアイコンＣの別ページＰへの移動（ページＰの遷移）を意図して当該アイコンＣをページＰの端部に移動させる操作を行った場合に、ページＰが遷移されるまでに時間がかかる（ユーザーの待ち時間が長くなる）という不都合が発生するのを抑制することができる。
【００６０】
また、本実施形態では、上記のように、第２グループのアイコンＣが操作されている場合、制御部１は、第２グループのアイコンＣを操作している接触体のタッチスクリーン３に対する接触位置が対象領域ＴＡに入っている状態または接触体が操作している第２グループのアイコンＣの少なくとも一部が対象領域ＴＡに入っている状態で第１時間よりも長い予め定められた第２時間が経過したとき、ページ遷移条件が満たされたと判断する。この構成では、第２時間が経過するまで接触体をタッチスクリーン３に接触させ続けなければ、ページＰは遷移しない。これにより、意図していないにもかかわらずページＰが遷移するという不都合が発生するのを確実に抑制することができる。
【００６１】
また、本実施形態では、上記のように、制御部１は、第２グループのアイコンＣを対象領域ＴＡの領域外に移動させてから対象領域ＴＡに移動させる操作が行われた場合、第２グループのアイコンＣを操作している接触体のタッチスクリーン３に対する接触位置が対象領域ＴＡに入っている状態または接触体が操作している第２グループのアイコンＣの少なくとも一部が対象領域ＴＡに入っている状態で第１時間が経過したとき、ページ遷移条件が満たされたと判断する。この構成では、ページＰの端部に配置されたアイコンＣを別ページＰに移動したい場合（ページＰを遷移したい場合）、当該アイコンＣを対象領域ＴＡの領域外に移動させてから対象領域ＴＡに移動させることにより、速やかにページＰを遷移させることができる。
【００６２】
ここで、図６に示した例において、ページＰ１の後にだけ別ページＰ２が追加されているとする。この場合、ページＰ１の右端部でアイコンＣを操作すると別ページＰ２に遷移するが、ページＰ１の左端部でアイコンＣを操作しても別ページＰ２には遷移しない。このため、ページＰ１の左端部のアイコンＣ（アイコンＣ１、Ｃ５、Ｃ９およびＣ１３）を第２グループに分類する必要はない。
【００６３】
そこで、制御部１は、表示中のページＰの４辺のうち位置関係情報で示される位置に対応する辺（対象辺）から所定幅Ｗの領域を対象領域ＴＡに設定する。これにより、上記例では、ページＰ１の右端部にだけ対象領域ＴＡが設定される。その結果、ページＰ１の左端部のアイコンＣ（アイコンＣ１、Ｃ５、Ｃ９およびＣ１３）は第１グループに分類される。
【００６４】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【００６５】
１  制御部
２  記憶部
３  タッチスクリーン
１００  表示入力装置
Ｃ  アイコン
Ｐ  ページ
ＴＡ  対象領域
【図１】
2020095605.tif 000003
【図２】
2020095605.tif 000004
【図３】
2020095605.tif 000005
【図４】
2020095605.tif 000006
【図５】
2020095605.tif 000007
【図６】
2020095605.tif 000008
【図７】
2020095605.tif 000009
【図８】
2020095605.tif 000010
【図９】
2020095605.tif 000011